(57)【特許請求の範囲】
【請求項１】
外部から電力が供給される受電部と、
前記受電部と接続され、前記電力を所定の駆動電力に変換する電源部と、
前記電源部と接続され、前記駆動電力により発光する光源部と、
前記電源部及び前記光源部を収納する筐体部と、
入射面から入射させた前記光源部の光を出射面から導出させる板状の導光板を前記筐体部の一端から突出して設けた導光部とを有し、
前記導光部は、
それぞれが前記入射面と隣接し直交した第１の出射面と、前記第１の出射面に隣接し且つ前記入射面に対向した第２の出射面とを有する４つの多面体を備え、
前記第２の出射面は、対向する第１の斜面群と第２の斜面群からなり、前記第１の斜面群は前記筐体部の径方向の外側から中心に向けて複数の斜面が連なって形成されており、前記第２の斜面群は前記筐体部の径方向の中心から外側に向けて複数の斜面が連なって形成されていること
を特徴とする照明装置。
【請求項２】
前記導光部は、２枚の導光板が十字状に組み合わされて構成されており、
前記導光部の各導光板は、それぞれ２つの多面体を備えていること
を特徴とする請求項１に記載の照明装置。
【請求項３】
前記複数の斜面は、光源から離間する毎に前記入射面との成す角度が小さくなるように形成されていること
を特徴とする請求項１又は２のいずれかに記載の照明装置。
【請求項４】
前記斜面は、前記入射面の法線とのなす角度が臨界角以下となるように、該入射面に対して傾斜していること
を特徴とする請求項１乃至３のいずれかに記載の照明装置。
【請求項５】
前記導光板の前記出射面の１面以上に、前記光源部の光を拡散光として導出させる凹状又は凸状のパターンが形成されていること
を特徴とする請求項１に記載の照明装置。
【発明の詳細な説明】
【技術分野】
【０００１】
本発明は、多品種の導光板を立体的に配設した照明装置に関する。
【背景技術】
【０００２】
従来、発光ダイオードを光源に用いたＬＥＤランプに関して、白熱電球で４０Ｗ〜６０Ｗ相当の明るさを得るために、例えば中心から外周に向かって羽根状に分岐された樹脂製の導光羽を備えたＬＥＤランプの構成がある（例えば、特許文献１参照。）。
【先行技術文献】
【特許文献】
【０００３】
【特許文献１】特開２００８−７７９００号公報
【発明の概要】
【発明が解決しようとする課題】
【０００４】
しかしながら、前述の様な構成では、導光羽の一端から入射された高輝度ＬＥＤモジュールの光が、導光羽の他端から直進方向に導出されるため、配光特性が偏るという問題があった。
【０００５】
そこで、本発明は前述の技術的な課題に鑑み、導光板の入射面から入射された光源の光を、該導光板の内部において多重反射により減衰させることなく、出射面から所定の放射角度で導出させることができる照明装置の提供を目的とする。
【課題を解決するための手段】
【０００６】
前述の課題を解決すべく、本発明に係る照明装置は、外部から電力が供給される受電部と、前記受電部と接続され、前記電力を所定の駆動電力に変換する電源部と、前記電源部と接続され、前記駆動電力により発光する光源部と、前記電源部及び前記光源部を収納する筐体部と、入射面から入射させた前記光源部の光を出射面から導出させる板状の導光板を前記筐体部の一端から突出して設けた導光部とを有し、前記導光部は、それぞれが前記入射面と隣接し直交した第１の出射面と、前記第１の出射面に隣接し且つ前記入射面に対向した第２の出射面とを有する４つの多面体を備え、前記第２の出射面は、対向する第１の斜面群と第２の斜面群からなり、前記第１の斜面群は前記筐体部の径方向の外側から中心に向けて複数の斜面が連なって形成されており、前記第２の斜面群は前記筐体部の径方向の中心から外側に向けて複数の斜面が連なって形成されていることを特徴とする。
【発明の効果】
【０００７】
本発明に係る照明装置によれば、導光板の入射面から入射された光源の光を、該導光板の内部において多重反射により減衰させることなく、出射面から所定の放射角度で導出させることができる。
【図面の簡単な説明】
【０００８】
【図１】本発明の第１の参考例に係る照明装置を示す斜視図である。
【図２】本発明の第１の参考例に係る照明装置を構成毎に分解して示す斜視図である。
【図３】本発明の第１の参考例に係る照明装置の導光部に設けられる導光板の基本的な光学特性を示す模式図であり、（ａ）は導光板の出射面に臨界角以下の光が入射された場合の模式図、（ｂ）は導光板の出射面に臨界角を超える光が入射された場合の模式図である。
【図４】本発明の第１の参考例に係る照明装置の導光部に設けられる略台形台形状に形成された導光板に係る光学特性を示す模式図であり、（ａ）は導光板に係る光学特性を第１の出射面から示す模式図、（ｂ）は導光板を第２の出射面から示す模式図である。
【図５】本発明の第１の参考例に係る照明装置の導光部に設けられる略台形台形状に形成された導光板に係る光学特性を第１の出射面から示す模式図であり、（ａ）乃至（ｄ）は各出射面における所定の光の出射箇所での光学特性をそれぞれ示す模式図である。
【図６】本発明の第１の参考例に係る照明装置の導光部に設けられる略台形台形状に形成された導光板に係る光学特性を第２の出射面から示す模式図である。
【図７】本発明の一実施形態に係る照明装置の導光部の応用例に関し入射面との成す角度が段階的に小さくなるように筐体部の径方向の中心及び外側からそれぞれ複数の斜面が連なって形成されている導光板を設けた導光部と該導光部に隣接した光源部を示す斜視図である。
【図８】本発明の一実施形態に係る照明装置の導光部の応用例に関し入射面との成す角度が段階的に小さくなるように筐体部の径方向の中心及び外側からそれぞれ複数の斜面が連なって形成されている導光板を設けた導光部と該導光部に隣接した光源部を示す断面図であり、導光板の光学特性を簡易的に示している。
【図９】本発明の一実施形態に係る照明装置の導光部の応用例に関し入射面との成す角度が段階的に小さくなるように筐体部の径方向の中心及び外側からそれぞれ複数の斜面が連なって形成されている導光板の光学特性を詳細に示す模式図である。
【図１０】本発明の第２の参考例に係る照明装置を示す斜視図である。
【図１１】本発明の第２の参考例に係る照明装置を構成毎に分解して示す斜視図である。
【発明を実施するための形態】
【０００９】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１０】
また、以下の説明においては、最初に本発明の第１の参考例の照明装置１について図１乃至図９を参照しながら説明する。次に本発明の一実施形態について図７乃至９を参照しながら説明する。次に本発明の第２の参考例の照明装置２について図１０及び図１１を参照しながら説明する。次に本発明の第２の参考例の照明装置２に設けられた導光板の製造方法について説明する。最後に本発明の一実施形態の照明装置の構成と主な作用効果について請求項毎に説明する。
【００１１】
［第１の実施形態］
以下、本発明の第１の参考例及び一実施形態の照明装置１について、図１乃至図９を参照しながら、具体的に説明する。なお、先ず照明装置１の構成について図１乃至図６を参照しながら説明し、次に照明装置１に設けられた導光部５０の応用例に係る導光板５８の構成及び光学特性について図７乃至図９を参照しながら説明する。
【００１２】
先ず、照明装置１の構成について、図１乃至図６を参照しながら、具体的に説明する。第１の実施形態の照明装置１は、例えば図１及び図２に示すように、受電部１０、電源部２０、光源部３０、筐体部４０、及び導光部５０から構成される。以下、照明装置１の各構成について順に説明する。
【００１３】
受電部１０は、外部から電力が供給される。この様な受電部１０は、図２に示すように、口金１１及び絶縁ケース１２から構成されている。以下、受電部１０の構成について説明する。受電部１０の口金１１は、金属から成り、例えば外周面１１ａが螺旋状の凹凸を備えた円錐形から形成され、内部に空洞を有している。この様な口金１１の外周面１１ａを、例えば屋内施設に施工されているソケットにねじ込んで、電力の供給を受ける。また、口金１１の直径は、例えば、一般的なサイズである直径２６ｍｍである。なお、受電部１０に口金１１を設ける構成に限定されることはなく、例えば、コンセントに差し込んで電力の供給を受けるプラグを設ける構成や、発電機又は蓄電池を接続して電力の供給を受ける端子を設ける構成としても良い。また、受電部１０の絶縁ケース１２は、例えば絶縁性を有するプラスチックスから成り、円筒形状から形成されている。この様な絶縁ケース１２は、該絶縁ケース１２の一端１２ａを口金１１の内周面１１ｂに嵌め込んで接合され、且つ他端１２ｂを後述する筐体部４０の筐体４１に嵌め込んで接合されている。また、絶縁ケース１２の内部の収納凹部１２ｃには、後述する電源部２０の電源回路２１が収納されている。また、絶縁ケース１２の他端１２ｂに設けられたネジ孔１２ｄは、後述する筐体部４０の筐体４１と接合して固定するためのものである。
【００１４】
電源部２０は、受電部１０と接続され、受電部１０の口金１１に接続された配線２２を介して外部から供給された電力を所定の駆動電力に変換する。この様な電源部２０は、図２に示すように、電源回路２１、配線２２、及び配線２３から構成されている。以下、電源部２０の構成について説明する。電源部２０の電源回路２１は、受電部１０の口金１１に接続された配線２２を介して外部から入力された電力を、後述する光源部３０の光源３１の定格に合わせて、１００Ｖから例えば２４Ｖに降圧、直流の定電流への整流、整流後のパルス変調、及びノイズの除去等を行う。この様な電源回路２１は、例えば、変圧器、整流器、及びコンデンサ等から構成される。また、電源回路２１で生成された駆動電力は、配線２３を介して後述する光源部３０の光源３１に供給される。
【００１５】
光源部３０は、電源部２０と接続され、該電源部２０から供給された駆動電力により発光する。この様な光源部３０は、図２に示すように、光源３１及び基板３２から構成されている。以下、光源部３０の構成について説明する。光源部３０の光源３１は、例えば白色で発光する発光ダイオード（ＬＥＤ：Ｌｉｇｈｔ  Ｅｍｉｔｔｉｎｇ  Ｄｉｏｄｅ）から構成されている。また、図２に示すように、複数の光源３１が、後述する導光部５０を構成する導光板５１の入射面５１ａ及び導光板５２の入射面５２ａの直下に設けられている。また、光源３１は、白色のＬＥＤに限定されることはなく、例えば白色、赤色、橙色、黄色、緑色、青色、藍色、又は紫色のいずれかの色若しくはそれらの色の組み合わせから成るＬＥＤで構成しても良い。同様に、光源３１を、紫外域の光を発するＬＥＤで構成しても良い。同様に、光源３１を、例えば有機発光ダイオード、蛍光管、冷陰極管、又はネオン管で構成しても良い。
【００１６】
また、光源部３０に関し、基板３２は、光源３１を所定の配列で実装するための部材である。この様な基板３２は、例えば、軽量で一定の強度を有するアルミニウムから成り、円盤状に形成されている。なお、基板３２には、放熱性に優れた銅板や、加工性に優れたガラスエポキシ基板を用いても良い。ここで、図２に示すように、基板３２には、例えば表面実装型のＬＥＤから成る光源３１が十字状に１０個配列されている。また、図示していないが、基板３２に開口された配線穴３２ａに配線２３が通され、該配線２３が例えば半田付けパッド３２ｂに結線される。なお、例えば、配線２３にコネクタを設け、該コネクタを基板３２に設けられた図示せぬソケットに着脱可能に挿入する構成としても良い。また、詳細は後述するが、基板３２は、該基板３２に複数開口されたネジ孔３２ｃを介して、後述する筐体部４０の筐体４１にネジ留めされる。
【００１７】
筐体部４０は、電源部２０及び光源部３０を収納する。この様な筐体部４０は、図２に示すように、筐体４１、サラネジ４２、保持部材４３、及びナベネジ４４から構成されている。以下、筐体部４０の構成について説明する。筐体４１は、例えばアルミニウムから成り、半球形状から形成されている。また、筐体４１に開口された配線孔４１ａには、図示していないが、前述した電源部２０の配線２３が通される。また、筐体４１に開口されたネジ孔４１ｂには、例えばサラネジ４２が通された上で、前述した受電部１０の絶縁ケース１２のネジ孔１２ｄにネジ留めされることにより、絶縁ケース１２と筐体４１が接合されている。また、筐体４１に形成された基板収納凹部４１ｃに、基板３２の裏面が当接される。また、筐体４１の外周に形成された放熱面４１ｅには、筐体４１の表面積を増加させて電源部２０及び光源部３０で発生した熱を効率良く放熱させるため、例えば湾曲した凹凸形状から成る放熱用のフィンを複数形成しても良い。なお、例えば光源３１の駆動電流値が十分に低い場合や、電源回路２１での電力損失が小さい場合には、放熱面４１ｅに放熱用のフィンを設けなくても良い。
【００１８】
また、筐体部４０に関し、保持部材４３は、一対から成り、例えば図２に示すように、後述する導光部５０の導光板５１及び導光板５２にそれぞれ係合し、筐体４１に保持されている。この様な保持部材４３は、例えば、アルミニウムから成り、半円盤状から形成されている。すなわち、導光板５１及び導光板５２が組み合わされた状態で、一対の保持部材４３の中央にそれぞれ開口された連結用切欠４３ａが、導光板５２の下部の両端に設けられた凹状の連結用切欠５２ｊに挿入され、且つ当接面４３ｃが導光板５２に当接されて着脱可能に係合されている。同様に、一対の保持部材４３の両端にそれぞれ形成された突起４３ｂが、導光板５１の下部の両端に設けられた凹状の連結用切欠５１ｊに挿入され、且つ当接面４３ｃが導光板５１に当接されて着脱可能に係合されている。
【００１９】
ここで、筐体部４０に関し、一対の保持部材４３が導光板５１及び導光板５２に係合されている状態で、一対の保持部材４３の外周面４３ｄが、筐体４１の基板収納凹部４１ｃに形成された内周面４１ｆに当接するように、一対の保持部材４３を筐体４１に挿入されている。さらに、例えばナベネジから成るナベネジ４４を、一対の保持部材４３にそれぞれ開口されたネジ孔４３ｅ、及び基板３２に開口されたネジ孔３２ｃの順で通されている。その上で、ナベネジ４４を、筐体４１の基板収納凹部４１ｃに設けられたネジ孔４１ｄにネジ留めすることにより、導光板５１と導光板５２及び基板３２を、一対の保持部材４３を介し、筐体４１に対して着脱可能に保持されている。なお、ナベネジ４４が挿入された一対の保持部材４３のネジ孔４３ｅを、例えば反射剤が含有された接着剤で密封しても良い。
【００２０】
導光部５０は、筐体部４０の一端から突出して設けられ、入射面から入射させた光源部３０の光を、曲面又は平面で形成された出射面から導出させる。また、導光部５０の出射面の少なくとも１面以上は、入射面の法線方向に対して所定の角度で傾斜している。ここで、導光部５０に設けられる導光板５１及び導光板５２の構造について、図２を参照しながら具体的に説明する。導光部５０は、例えば導光板５１及び導光板５２を十字状に組み合わせて構成されている。この様な導光板５１及び導光板５２は、それぞれ例えば透明なアクリル樹脂板から成る。なお、導光板５１及び導光板５２は、透明な樹脂板に限定されることは無く、着色された樹脂板を用いても良い。また、導光板５１及び導光板５２には、例えば可視域の光を照射されることにより拡散光を発する微粒子状の拡散部材を添加した樹脂板を用いても良い。同様に、導光板５１及び導光板５２には、例えば紫外域や可視域の光を照射されることにより蛍光を発する蛍光剤を塗布又は添加した樹脂板を用いても良い。なお、導光板５１及び導光板５２に、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００２１】
また、導光部５０に関し、導光板５１及び導光板５２は、それぞれ、対面同一になるように一対の略台形台形状から形成されている。すなわち、導光板５１は、光源部３０の光源３１と対向する位置に、光源３１の光を入射させる入射面５１ａが形成されている。また、入射面５１ａと交差した第１の出射面５１ｂ及び第１の出射面５１ｃが、対向して形成されている。同様に、第１の出射面５１ｄ及び第１の出射面５１ｇが、対向して形成されている。ここで、第１の出射面５１ｇと第１の出射面５１ｂの間には、第１の出射面５１ｉが鈍角を成すように隣接して形成されている。同様に、第１の出射面５１ｇと第１の出射面５１ｃの間には、第１の出射面５１ｈが鈍角を成すように隣接して形成されている。また、入射面５１ａと対向し、該入射面５１ａの法線方向に対して所定の角度で傾斜した第２の出射面５１ｅ及び該入射面５１ａと平行な第２の出射面５１ｆが隣接して形成されている。上記の導光板５１に係る略台形台形状が、対面同一になるように一対で形成されている。また、上記の導光板５１に係る対面同一になるように一対で形成された略台形台形状については、導光板５２についても同様である。
【００２２】
同様に、導光部５０に関し、導光板５１の第１の出射面５１ｇの下部には、凹状の連結用切欠５１ｊが形成されている。この様な連結用切欠５１ｊに、保持部材４３の両端にそれぞれ形成された突起４３ｂが挿入されている。同様に、導光板５２の第１の出射面５２ｇの下部には、凹状の連結用切欠５２ｊが形成されている。この様な連結用切欠５２ｊに、保持部材４３の中央にそれぞれ開口された連結用切欠４３ａが挿入されている。ここで、導光板５１の出射面側の中央に設けられた凹状の切欠面５１ｍと、導光板５２の入射面５２ａの中央に設けられた凹状の切欠面５２ｋが当接するように、導光板５１及び導光板５２が組み合わされている。なお、導光板５１の切欠面５１ｍと導光板５２の切欠面５２ｋを接合させた時に、導光板５１の入射面５１ａと導光板５２の入射面５２ａが同一面上に位置するように、導光板５１及び導光板５２が形成されている。また、導光板５１の入射面５１ａの両端及び中央に設けられた凸状の当接面５１ｎ、及び導光板５２の入射面５２ａの両端に設けられた凸状の当接面５２ｎは、それぞれ光源部３０の基板３２に当接される。
【００２３】
なお、導光部５０に係る光学特性の説明においては、先ず導光部５０に設けられる各導光板の基本的な光学特性について図３に示す導光板１００を参照しながら説明する。次に導光部５０に設けられる略台形台形状に形成された導光板５１に係る構成及び光学特性について図４乃至図６を参照しながら説明する。
【００２４】
先ず、導光部５０に設けられる各導光板の基本的な光学特性について、図３に示す導光板１００を参照しながら、具体的に説明する。図３（ａ）に示すように、導光板１００の出射面１００ｚに対して、光Ｌ１が臨界角以下の入射角θ１で入射されると、光Ｌ１の透過光に相当する光Ｌ２が出射角θ２で出射される。ここで、導光板１００の屈折率ｎ１にｓｉｎ（入射角θ１）を掛けた値と、例えば空気の屈折率ｎ２にｓｉｎ（出射角θ２）を掛けた値は、等しい。また、図３（ｂ）に示すように、導光板１００の出射面１００ｚに対して、光Ｌ３が臨界角を超えた入射角θ３で入射されると、光Ｌ３の全反射光に相当する光Ｌ４が、反射角θ４で導光板１００の内部に反射される。ここで、入射角θ３と反射角θ４は、等しい。また、屈折率は、波長に依存し、短波長から長波長にかけて相対的に小さくなる。したがって、入射した光が全反射する最小の入射角である光の臨界角は、該光の波長及び入射角に依存する。
【００２５】
次に、導光部５０に設けられる略台形台形状に形成された導光板５１に係る構成について、図４を参照しながら、具体的に説明する。図４に示す導光板５１は、略台形台形状から形成され、図２に示す導光板５１の片側に相当する。すなわち、導光板５１は、図４（ａ）に示すように、光源３１と対向する位置に、光源３１の光を入射させる入射面５１ａが形成されている。また、入射面５１ａと交差した第１の出射面５１ｐ及び第１の出射面５１ｓが、対向して形成されている。また、入射面５１ａと対向し、該入射面５１ａの法線方向に対して所定の角度で傾斜した第２の出射面５１ｑ、及び該入射面５１ａと平行な第２の出射面５１ｒが隣接して形成されている。さらに、導光板５１は、図４（ｂ）に示すように、入射面５１ａと交差した第１の出射面５１ｂ及び第１の出射面５１ｃが、対向して形成されている。また、第１の出射面５１ｂと第１の出射面５１ｓの間には、第１の出射面５１ｕが鈍角を成すように隣接して形成されている。同様に、第１の出射面５１ｃと第１の出射面５１ｓの間には、第１の出射面５１ｔが鈍角を成すように隣接して形成されている。
【００２６】
また、導光部５０の導光板５１に係る光学特性について、図５及び図６を参照しながら、具体的に説明する。なお、図５（ａ）乃至（ｄ）は、図４の各出射面における所定の光の出射箇所での光学特性を、それぞれ個別に示す模式図である。ここで、光源３１は、図５に示すように、例えば複数の発光体を隣接して設けた面光源から成り、導光部５０を構成する導光板５１の入射面５１ａの直下に設けられている。したがって、光源３１の光は、導光板５１の入射面５１ａの殆ど全面から、該導光板５１の内部に入射される。しかしながら、該光源３１の光に係る多数の光線を、図４や図５に示す導光板５１の外形線に重ねて図示すると、該導光板５１の光学特性を理解することが困難となる。そこで、図４及び図５では、任意の４箇所に係る光の出射箇所を基準として、光源３１の光に係る光線を、導光板５１の外形線に重ねて図示することに留めている。図５（ａ）に示す第２の出射面５１ｒの光の出射箇所５１ｖでは、入射面５１ａから法線方向に直進し第２の出射面５１ｒに対して垂直に入射した光Ｌ１０１が、光Ｌ１０１の透過光に相当する光Ｌ１０２として導光板５１から導出される。また、光の出射箇所５１ｖでは、第２の出射面５１ｒに対して臨界角以下で入射した光Ｌ１１２が、該光Ｌ１１２の透過光に相当する光Ｌ１１３として導光板５１から導出される。なお、光Ｌ１１２は、第１の出射面５１ｓにおける光Ｌ１１１の反射光に相当する。同様に、光の出射箇所５１ｖでは、第２の出射面５１ｒに対して臨界角以下で入射した光Ｌ１２１が、該光Ｌ１２１の透過光に相当する光Ｌ１２２として導光板５１から導出される。
【００２７】
同様に、導光部５０の導光板５１に係る光学特性に関し、図５（ｂ）に示す第２の出射面５１ｑの光の出射箇所５１ｗでは、入射面５１ａから法線方向に直進し第２の出射面５１ｑに対して臨界角以下で入射した光Ｌ１３１が、光Ｌ１３１の透過光に相当する光Ｌ１３２として導光板５１から導出される。また、光の出射箇所５１ｗでは、第２の出射面５１ｑに対して臨界角以下で入射した光Ｌ１４２が、該光Ｌ１４２の透過光に相当する光Ｌ１４３として導光板５１から導出される。なお、光Ｌ１４２は、第１の出射面５１ｓにおける光Ｌ１４１の反射光に相当する。同様に、光の出射箇所５１ｗでは、第２の出射面５１ｑに対して臨界角を超えて入射した光Ｌ１５１が、該光Ｌ１５１の反射光に相当する光Ｌ１５２として導光板５１の内部に反射される。また、該光Ｌ１５２は、第２の出射面５１ｒで、光Ｌ１５２の反射光に相当する光Ｌ１５３として導光板５１の内部に反射される。また、光Ｌ１５３は、該光Ｌ１５３の透過光に相当する光Ｌ１５４として、導光板５１の第１の出射面５１ｓから導出される。また、光Ｌ１６１は、第１の出射面５１ｐに対して臨界角以下の角度で入射されるため、光Ｌ１６１の透過光に相当する光Ｌ１６２として導光板５１から導出され、第２の出射面５１ｑの光の出射箇所５１ｗには伝搬されない。
【００２８】
また、導光部５０の導光板５１に係る光学特性に関し、図５（ｃ）に示す第２の出射面５１ｑの光の出射箇所５１ｘでは、第２の出射面５１ｑに対して臨界角以下で入射した光Ｌ１７１及び光Ｌ１８１が、それぞれ透過光に相当する光Ｌ１７２及び光Ｌ１８２として導光板５１から導出される。なお、光Ｌ１７１は、入射面５１ａから法線方向に直進した光である。同様に、光の出射箇所５１ｘでは、第２の出射面５１ｑに対して臨界角を超えて入射した光Ｌ１９２が、該光Ｌ１９２の反射光に相当する光Ｌ１９３として導光板５１の内部に反射される。なお、光Ｌ１９２は、第１の出射面５１ｐにおける光Ｌ１９１の反射光に相当する。また、光Ｌ１９３は、該光Ｌ１９３の透過光に相当する光Ｌ１９４として、導光板５１の第１の出射面５１ｓから導出される。また、光Ｌ２０１は、第１の出射面５１ｓに対して臨界角以下の角度で入射されるため、光Ｌ２０１の透過光に相当する光Ｌ２０２として導光板５１から導出され、第２の出射面５１ｑの光の出射箇所５１ｘには伝搬されない。
【００２９】
同様に、導光部５０の導光板５１に係る光学特性に関し、図５（ｄ）に示す第２の出射面５１ｑの光の出射箇所５１ｙでは、第２の出射面５１ｑに対して臨界角以下で入射した光Ｌ２１１、光Ｌ２３１、及び光Ｌ２４１が、それぞれ透過光に相当する光Ｌ２１２、光Ｌ２３２、及び光Ｌ２４２として導光板５１から導出される。なお、光Ｌ２１１は、入射面５１ａから法線方向に直進した光である。また、光の出射箇所５１ｙでは、第２の出射面５１ｑに対して臨界角を超えて入射した光Ｌ２２２が、該光Ｌ２２２の反射光に相当する光Ｌ２２３として導光板５１の内部に反射される。なお、光Ｌ２２２は、第１の出射面５１ｐにおける光Ｌ２２１の反射光に相当する。また、光Ｌ２２３は、該光Ｌ２２３の透過光に相当する光Ｌ２２４として、導光板５１の第１の出射面５１ｓから導出される。
【００３０】
さらに、導光部５０の導光板５１に係る光学特性に関し、図６に示すように、第１の出射面５１ｓ、第１の出射面５１ｃと第１の出射面５１ｓの間に形成された第１の出射面５１ｔ、及び第１の出射面５１ｂと第１の出射面５１ｓの間に形成された第１の出射面５１ｕに対して、臨界角以下で入射した光Ｌ２５１、光Ｌ２６１、及び光Ｌ２７１が、それぞれ透過光に相当する光Ｌ２５２、光Ｌ２６２、及び光Ｌ２７２として導光板５１から導出される。
【００３１】
したがって、導光部５０の導光板５１によれば、図４乃至図６に示すように、導光板５１の入射面５１ａから入射された光源３１の光を、該導光板５１の内部において多重反射により減衰させることなく、各出射面から所定の放射角度で導出させることができる。すなわち、導光板５１に、該導光板５１の入射面５１ａの法線方向に対して所定の角度で傾斜した平面から成る第２の出射面５１ｑを設けることにより、例えば、第２の出射面５１ｑの光の出射箇所５１ｗ、光の出射箇所５１ｘ、及び光の出射箇所５１ｙにおいて、様々な放射角で光源３１の光を導出させることができる。さらに、導光板５１に、例えば、第１の出射面５１ｃと第１の出射面５１ｓの間に鈍角を成すように形成された第１の出射面５１ｔ、及び第１の出射面５１ｂと第１の出射面５１ｓの間に鈍角を成すように形成された第１の出射面５１ｕを設けることにより、導光板５１の内部から各第１の出射面に入射する光の角度が臨界角となり易く、導光板５１から導出され易くなる。
【００３２】
次に、本発明の一実施形態に係る照明装置１について説明する。ここでは、照明装置１に設けられた導光板５８の構成及び光学特性について、図７乃至図９を参照しながら、具体的に説明する。
【００３３】
導光部５０の導光板５８は、図７に示すように、第２の出射面が図２等に図示された筐体部４０の径方向の中心及び外側からそれぞれ複数の斜面が連なって形成されている。以下、導光板５８の構成及び光学特性について、図７乃至図９を参照しながら、詳細に説明する。図７に示す導光板５８は、入射面５８ａと隣接し直交した第１の出射面５８ｐと、入射面５８ａに対向した第２の出射面５８ｑ、５８ｒ、５８ｓ、５８ｔ、５８ｕ及び５８ｖとを備えている。さらに、導光板５８の第２の出射面５８ｑ、５８ｒ、５８ｓ及び５８ｔは、入射面５８ａとの成す角度が段階的に小さくなるように、筐体部４０の径方向の中心及び外側からそれぞれ複数の斜面が連なって形成されている。すなわち、導光板５８の複数の斜面は、導光板５８の第２の出射面５８ｑ、５８ｒ、５８ｓ及び５８ｔに相当し、それら複数の斜面が筐体部４０の径方向の中心及び外側から対向するように設けられている。この様に導光板５８は、十字状に配設された４片の山状の導光片から構成されている。なお、導光板５８は、連結用切欠等の図示を省略している。また、導光板５８は、複数の導光板を十字状に組み合わせて構成しても良いし、又は１個の導光板を十字状に一体成型して構成しても良い。また、図７に示す光源部３０の基板３２には、十字状に１３個の光源３１が配設されている。例えば、図８に示すように、７個の光源３１ａ乃至３１ｇが、導光板５８の入射面５８ａの一列に、所定の距離だけ離間して設けられている。
【００３４】
この様な導光部５０の導光板５８は、図８に示すように、擬似的な発光中心位置Ｐ１を基準として、光Ｌ７０１から光Ｌ７０２が出射される広角に亘り光量の差が少ない優れた配光分布を有する。したがって、この様な導光板５８を備えた照明装置１を天井面に配設して、下方の床面等を照らすような場合には、広範囲を均等に照明することができる。以下、そのような光学特性について、図９を参照しながら、詳細に説明する。
【００３５】
図９に示す導光板５８には、図９中の左半分の領域に対して主に光源３１ａ乃至３１ｄの光が入射され、且つ図９中の右半分の領域に対して主に光源３１ｄ乃至３１ｇの光が入射される。すなわち、十字状に配設された１３個の光源３１に対して、十字状に形成され且つ４片の山状の導光片から成る導光板５８を設けることにより、約３．５個分の光源３１の直上に１片の山状の導光片が配設されていることになる。この様な構成によれば、各光源３１から出射された光の中、所定の配光角度以内の光は直上の導光片から放射状に導出され、且つ所定の配光角度を超えた光は隣接する導光片から放射状に導出される。ここで、図９に示す合計７個の光源３１ａ乃至３１ｇは、ＬＥＤから成る面発光の光源であり、様々な角度で光が導出されている。しかしながら、それらの光を全て図示すると、該光が密集して光学特性の理解が困難になる。そこで、図９においては、次の条件で光を図示している。先ず、光源３１ａ乃至３１ｇの各光源の中心から出射される光のみを図示している。次に、導光板５８の入射面５８ａに入射された光が、該入射面５８ａの法線方向に対して０°、±１０°、±２０°、±３０°及び±４０°の角度で伝播する光のみを図示している。これは、導光板５８の材質であるアクリル樹脂において、代表的な可視光での光の臨界角が約４２°であることに基づく。上記の条件により、合計７個の光源３１ａ乃至３１ｇの各光源から、それぞれ７本の光を出射させその光を図示している。
【００３６】
ここで、図９に示す導光板５８は、その外形が回転対称であるため、図中の左半分と右半分おいて伝播している光は、左右対称である。また、図中に符号が密集することを避けるため、光源３１ａ乃至３１ｄから出射された光の中、導光板５８の入射面５８ａの法線方向に対して０°及び±４０°の角度で伝播する光のみを図示している。また、符号を付加していない光については、符号を付加した光と比較して、導光板５８から外部に出射されている部分の光の長さを若干短くしている。ここで、光Ｌ７１１、Ｌ７２２、Ｌ７２３、Ｌ７３１、Ｌ７５１、Ｌ７６２、Ｌ７６３及びＬ７７１は、第２の出射面５８ｑ、５８ｒ又は５８ｓのいずれかの面に入射した後、導光板５８の内部に一旦反射されてから、該導光板５８の外部に出射されている。また、光Ｌ７２１及びＬ７６１は、第２の出射面５８ｕに入射した後、該導光板５８の外部に出射されている。また、光Ｌ７４１は、第２の出射面５８ｖに入射した後、該導光板５８の外部に出射されている。また、光Ｌ７１２、Ｌ７３３、Ｌ７５２及びＬ７７３は、第２の出射面５８ｒに入射した後、該導光板５８の外部に出射されている。また、光Ｌ７４２及びＬ７４３は、第２の出射面５８ｓに入射した後、該導光板５８の外部に出射されている。また、光Ｌ７１３及びＬ７７２は、第１の出射面５８ｐに入射した後、導光板５８の内部に一旦反射されてから、該導光板５８の外部に出射されている。
【００３７】
また、図９に示す導光板５８の光Ｌ７１１は、光源３１ａから導出され導光板５８の入射面５８ａの法線方向に対して０°の角度で伝播する光である。また、光Ｌ７１２は、光源３１ａから導出され導光板５８の入射面５８ａの法線方向に対して４０°（図中時計回り）の角度で伝播する光である。さらに、光Ｌ７１３は、光源３１ａから導出され導光板５８の入射面５８ａの法線方向に対して−４０°（図中反時計回り）の角度で伝播する光である。同様に、光Ｌ７２１は、光源３１ｂから導出され導光板５８の入射面５８ａの法線方向に対して０°の角度で伝播する光である。また、光Ｌ７２２は、光源３１ｂから導出され導光板５８の入射面５８ａの法線方向に対して４０°の角度で伝播する光である。さらに、光Ｌ７２３は、光源３１ｂから導出され導光板５８の入射面５８ａの法線方向に対して−４０°の角度で伝播する光である。
【００３８】
同様に、図９に示す導光板５８の光Ｌ７３１は、光源３１ｃから導出され導光板５８の入射面５８ａの法線方向に対して０°の角度で伝播する光である。なお、光源３１ｃから導出され導光板５８の入射面５８ａの法線方向に対して４０°の角度で伝播する光は、導光板５８から出射した後に該導光板５８に入射して光量が大きく減衰し照明に寄与し難いことから、符号を付加していない。さらに、光Ｌ７３３は、光源３１ｃから導出され導光板５８の入射面５８ａの法線方向に対して−４０°の角度で伝播する光である。同様に、光Ｌ７４１は、光源３１ｄから導出され導光板５８の入射面５８ａの法線方向に対して０°の角度で伝播する光である。また、光Ｌ７４２は、光源３１ｄから導出され導光板５８の入射面５８ａの法線方向に対して４０°の角度で伝播する光である。さらに、光Ｌ７４３は、光源３１ｄから導出され導光板５８の入射面５８ａの法線方向に対して−４０°の角度で伝播する光である。
【００３９】
同様に、図９に示す導光板５８の光Ｌ７５１は、光源３１ｅから導出され導光板５８の入射面５８ａの法線方向に対して０°の角度で伝播する光である。さらに、光Ｌ７５２は、光源３１ｅから導出され導光板５８の入射面５８ａの法線方向に対して４０°の角度で伝播する光である。なお、光源３１ｅから導出され導光板５８の入射面５８ａの法線方向に対して−４０°の角度で伝播する光は、導光板５８から出射した後に該導光板５８に入射して光量が大きく減衰し照明に寄与し難いことから、符号を付加していない。同様に、光Ｌ７６１は、光源３１ｆから導出され導光板５８の入射面５８ａの法線方向に対して０°の角度で伝播する光である。また、光Ｌ７６２は、光源３１ｆから導出され導光板５８の入射面５８ａの法線方向に対して４０°の角度で伝播する光である。さらに、光Ｌ７６３は、光源３１ｆから導出され導光板５８の入射面５８ａの法線方向に対して−４０°の角度で伝播する光である。同様に、光Ｌ７７１は、光源３１ｇから導出され導光板５８の入射面５８ａの法線方向に対して０°の角度で伝播する光である。また、光Ｌ７７２は、光源３１ｇから導出され導光板５８の入射面５８ａの法線方向に対して４０°の角度で伝播する光である。さらに、光Ｌ７７３は、光源３１ｇから導出され導光板５８の入射面５８ａの法線方向に対して−４０°の角度で伝播する光である。
【００４０】
図９を参照しながら説明したように、各光源３１から出射された光の中、所定の配光角度以内の光は直上の導光片から放射状に導出され、且つ所定の配光角度を超えた光は隣接する導光片から放射状に導出される。ここで、導光板５８に特徴的な光学特性として、該導光板５８の内部を伝播し、入射面５８ａに隣接した第１の出射面５８ｐと入射面５８ａに対向し該入射面５８ａから相対的に近い第２の出射面５８ｑ及び５８ｒに入射した大部分の光は、上述した臨界角の関係から該導光板５８の内部に反射される。さらに、導光板５８の内部に反射された光は、臨界角未満の角度となるため、入射面５８ａに対向し該入射面５８ａから相対的に遠い第２の出射面５８ｓ、５８ｔ及び５８ｕから広角で導出される。すなわち、導光板５８の入射面５８ａから入光した光の大部分は、第１の出射面５８ｐと第２の出射面５８ｑ、５８ｒ、５８ｓ、５８ｔ及び５８ｕから均一に出射されることはなく、第２の出射面５８ｓ、５８ｔ及び５８ｕから広角で導出される。
【００４１】
以上、第１の参考例に係る照明装置１によれば、例えば図５に示す導光板５１の入射面５１ａから入射された光源３１の光を、該導光板５１の内部において多重反射により減衰させることなく、各出射面から所定の放射角度で導出させることができる。すなわち、図９に示す導光板５８のように、擬似的な発光中心位置Ｐ１を基準として、光Ｌ７０１から光Ｌ７０２が出射される広角に亘り光量の差が少ない優れた配光分布を有する。したがって、この様な導光板５８を備えた照明装置１を天井面に配設して、下方の床面等を照らすような場合には、広範囲を均等に照明することができる。すなわち、導光板５８の内部を伝播し、入射面５８ａに隣接した第１の出射面５８ｐと入射面５８ａに対向し該入射面５８ａから相対的に近い第２の出射面５８ｑ及び５８ｒに入射した大部分の光は、上述した臨界角の関係から該導光板５８の内部に反射される。さらに、導光板５８の内部に反射された光は、臨界角未満の角度となるため、入射面５８ａに対向し該入射面５８ａから相対的に遠い第２の出射面５８ｓ、５８ｔ及び５８ｕから広角で導出される。すなわち、導光板５８の入射面５８ａから入光した光の大部分は、第１の出射面５８ｐと第２の出射面５８ｑ、５８ｒ、５８ｓ、５８ｔ及び５８ｕから均一に出射されることはなく、第２の出射面５８ｓ、５８ｔ及び５８ｕから広角で導出される。
【００４２】
［第２の参考例］
以下、本発明の第２の参考例の照明装置２について、図１０及び図１１を参照しながら、具体的に説明する。
【００４３】
なお、本発明の第２の参考例の照明装置２は、該照明装置２を構成する導光部６０の導光板に、凹状又は凸状のパターンがそれぞれ形成されていることに特徴を有している。また、それ以外の第２の参考例に係る構成は、第１の参考例で述べた構成と同様である。すなわち、第２の参考例の照明装置２は、図１１に示すように、第１の参考例の照明装置１と同様の仕様から成る受電部１０、電源部２０、光源部３０、及び筐体部４０と、第２の参考例の照明装置２に特有の導光部６０から構成されている。そこで、第２の参考例においては、第１の参考例とは異なる構成である導光部６０について中心に説明する。なお、第１の参考例の照明装置１において説明した全ての導光板について、凹状又は凸状のパターンを形成することができる。
【００４４】
第２の参考例の照明装置２を構成する導光部６０の各導光板には、該導光板の出射面の１面以上に、光源部３０の光を拡散光として導出させる凹状又は凸状のパターンが形成されている。ここで、導光部６０に設けられる各導光板に形成された凹状又は凸状のパターンの仕様について図１０及び図１１を参照しながら説明する。
【００４５】
導光部６０の導光板６１に設けられた第１の出射面６１ｂ及び第１の出射面６１ｃには、例えば図１０及び図１１に示すように、照射された光を拡散光として導出させる凹状のパターン６１ｐが形成されている。この様なパターン６１ｐは、例えば１ｍｍから６ｍｍの間隔でマトリクス状に形成されている。ここで、導光板６１の第１の出射面６１ｂに形成された複数のパターン６１ｐで発生した複数の拡散光の大部分は、略均一な面発光の光として導光板６１の対向する第１の出射面６１ｃから導出される。同様に、導光板６１の第１の出射面６１ｃに形成された複数のパターン６１ｐで発生した複数の拡散光の大部分は、略均一な面発光の光として導光板６１の対向する第１の出射面６１ｂから導出される。また、導光部６０の導光板６２に形成された凹状のパターン６２ｐの仕様は、上述した導光板６１に形成されたパターン６１ｐの仕様と同様である。
【００４６】
また、導光板６１及び導光板６２の各出射面に形成する凹状又は凸状のパターンを、例えば点状、線状、又はそれらの組み合わせから構成しても良い。例えば、図８に示す導光板５８に、凹状又は凸状のパターンを形成しても良い。なお、図１１に示す導光部６０に設けられる導光板６１の外形形状は、図２に示す導光部５０に設けられる導光板５１の外形形状と同一である。したがって、導光部６０に設けられる導光板６１は、図５及び図６を参照しながら説明した導光部５０に設けられる導光板５１と同様の光学特性を有し、導光板６１の入射面６１ａから入射された光源３１の光を、該導光板６１の内部において多重反射により減衰させることなく、各出射面から所定の放射角度で導出させることができる。
【００４７】
以上、第２の参考例に係る照明装置２によれば、前述した第１の参考例に係る照明装置１と同様の作用効果を得ることができる。すなわち、例えば、導光部６０に設けられる導光板６１は、図５及び図６を参照しながら上述した導光部５０の導光板５１と同様の光学特性を有し、導光板６１の入射面６１ａから入射された光源３１の光を、該導光板６１の内部において多重反射により減衰させることなく、各出射面から所定の放射角度で導出させることができる。また、導光板６１に形成された凹状又は凸状のパターンを、図７乃至図９を参照しながら上述した導光部５０の導光板５８に適用しても良い。
【００４８】
次に、本発明の第２の参考例の照明装置２に設けられた導光板の製造方法について、具体的に説明する。
【００４９】
導光板の製造方法には、例えば超音波加工、加熱加工、切削加工、レーザ加工、成型加工、及びシルク印刷加工を用いることができる。したがって、導光板の仕様やコスト及び必要数量等に応じて、各加工方法を選択することにより、凹状又は凸状のパターンを導光板の主面に精度良く安定的に形成することができる。以下、各製造方法について説明する。超音波加工では、導光板の主面に当接させた超音波加工用ホーンの超音波の振動を用いて、導光板の主面を部分的に溶融させることにより、該主面に凹状のパターンを形成する。また、加熱加工では、導光板の主面に当接させた加工具の熱を用いて、導光板の主面を部分的に溶融させることにより、該主面に凹状のパターンを形成する。同様に、切削加工では、導光板の主面に当接しながら回転又は付勢させた切削工具を用いて、導光板の主面を部分的に削り取ることにより、該主面に凹状のパターンを形成する。同様に、レーザ加工では、導光板の主面に集光させたレーザ光の熱を用いて、導光板の主面を部分的に溶融させることにより、該主面に凹状のパターンを形成する。同様に、成型加工では、成型する導光板の外形形状を反映させた形状を金型の内部に形成し、例えば射出成型機に装着した金型に対して加熱して軟化させた樹脂を注入してから、該樹脂を冷却させることにより、導光板の主面に凹状のパターン、凸状のパターン、又は凹状及び凸状のパターンを形成する。
【００５０】
また、導光板の製造方法に関し、シルク印刷加工では、導光板の主面に対して所定の孔が開口した版を当接させ、孔を介して硬化性の樹脂を主面に付着させて、該主面を部分的に樹脂で被覆させることにより、該主面に凸状のパターンを形成する。また、成型加工又はシルク印刷加工に用いる導光板の基材である樹脂に、例えば拡散光を発する微粒子状の拡散部材を添加しても良い。同様に、上述した超音波加工、加熱加工、切削加工、又はレーザ加工を行う導光板の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。すなわち、例えば成型加工により導光板の外形形状のみを形成した上で、例えば超音波加工により導光板の主面に凹状のパターンを形成しても良い。同様に、例えば成型加工により導光板の外形形状のみを形成した上で、例えばシルク印刷加工により導光板の主面に凸状のパターンを形成しても良い。
【００５１】
最後に、本発明の一実施形態の照明装置の構成と主な作用効果について、請求項毎に説明する。
【００５２】
請求項１に記載の照明装置１は、外部から電力が供給される受電部１０と、受電部１０と接続され、電力を所定の駆動電力に変換する電源部２０と、電源部２０と接続され、駆動電力により発光する光源部３０と、電源部２０及び光源部３０を収納する筐体部４０と、入射面から入射させた光源部３０の光を出射面から導出させる板状の導光板５８を筐体部４０の一端から突出して設けた導光部５０とを有し、導光部５０は、それぞれが入射面と隣接し直交した第１の出射面（５８ｐ）と、第１の出射面に隣接し且つ前記入射面に対向した第２の出射面（５８ｑ、５８ｒ、５８ｓ、５８ｔ）とを有する４つの多面体を備え、第２の出射面は、対向する第１の斜面群と第２の斜面群からなり、第１の斜面群は筐体部４０の径方向の外側から中心に向けて複数の斜面が連なって形成されており、第２の斜面群は筐体部４０の径方向の中心から外側に向けて複数の斜面が連なって形成されていることを特徴とする。
【００５３】
この様な請求項１に記載の照明装置１によれば、図９に示す導光板５８のように、擬似的な発光中心位置Ｐ１を基準として、光Ｌ７０１から光Ｌ７０２が出射される広角に亘り光量の差が少ない優れた配光分布を有する。したがって、この様な導光板５８を備えた照明装置１を天井面に配設して、下方の床面等を照らすような場合には、広範囲を均等に照明することができる。すなわち、導光板５８の内部を伝播し、入射面５８ａに隣接した第１の出射面５８ｐと入射面５８ａに対向し該入射面５８ａから相対的に近い第２の出射面５８ｑ及び５８ｒに入射した大部分の光は、上述した臨界角の関係から該導光板５８の内部に反射される。さらに、導光板５８の内部に反射された光は、臨界角未満の角度となるため、入射面５８ａに対向し該入射面５８ａから相対的に遠い第２の出射面５８ｓ、５８ｔ及び５８ｕから広角で導出される。すなわち、導光板５８の入射面５８ａから入光した光の大部分は、第１の出射面５８ｐと第２の出射面５８ｑ、５８ｒ、５８ｓ、５８ｔ及び５８ｕから均一に出射されることはなく、第２の出射面５８ｓ、５８ｔ及び５８ｕから広角で導出される。
【００５４】
請求項２に記載の照明装置１は、請求項１に従属し、前記導光部は、２枚の導光板が十字状に組み合わされて構成されており、前記導光部の各導光板は、それぞれ２つの多面体を備えていることを特徴としている。
【００５５】
このような請求項２に記載の照明装置１によれば、図２及び図７に示されるような中心において交差する２枚の導光板のそれぞれに２つの多面体が形成された構成が実現される。
【００５６】
請求項３に記載の照明装置１は、請求項１又は２に従属し、前記複数の斜面は、光源から離間する毎に前記入射面との成す角度が小さくなるように形成されていることを特徴としている。
【００５７】
この様な請求項３に記載の照明装置１によれば、例えば図７に示す導光部５０の導光板５８の入射面５８ａから入射した光源部３０の光源３１の光を、該導光板５８の内部で多重反射させることなく、第２の出射面５８ｑ、５８ｒ、５８ｓ、５８ｔ又は５８ｕから、略円弧状に光を導出させることができる。
【００５８】
請求項４に記載の照明装置１は、請求項１乃至３に従属し、前記斜面は、入射面の法線とのなす角度が臨界角以下となるように、該入射面に対して傾斜していることを特徴としている。
【００５９】
この様な請求項４に記載の照明装置１によれば、例えば図７に示す導光部５０の導光板５８の入射面５８ａから入射した光源部３０の光源３１の光を、該導光板５８の内部で多重反射させることなく、第２の出射面５８ｑ、５８ｒ、５８ｓ、５８ｔ又は５８ｕからすみやかに光を導出させることができる。
【００６０】
請求項５に記載の照明装置１は、請求項１に従属し、導光板の出射面の１面以上に、光源部３０の光を拡散光として導出させる凹状又は凸状のパターンが形成されていることを特徴としている。
【符号の説明】
【００６１】
１，２  照明装置、１０  受電部、１１  口金、１１ａ  外周面、１１ｂ  内周面、１２  絶縁ケース、１２ａ  一端、１２ｂ  他端、１２ｃ  収納凹部、１２ｄ  ネジ孔、２０  電源部、２１  電源回路、２２，２３  配線、３０  光源部、３１，３１ａ，３１ｂ，３１ｃ，３１ｄ  光源、３２  基板、３２ａ  配線穴、３２ｂ  半田付けパッド、３２ｃ  ネジ孔、４０  筐体部、４０，４１  筐体、４１ａ  配線孔、４１ｂ，４１ｄ，４３ｅ  ネジ孔、４１ｃ  基板収納凹部、４１ｅ  放熱面、４１ｆ  内周面、４２  サラネジ、４４  ナベネジ、４３  保持部材、４３ａ  連結用切欠、４３ｂ  突起、４３ｃ，５１ｎ，５２ｎ  当接面、４３ｄ  外周面、５０，６０  導光部、５１，５２，５８，６１，６２，６３，１００  導光板、５１ａ，５２ａ，５８ａ，６１ａ，６３ａ  入射面、５１ｂ，５１ｃ，５１ｄ，５１ｇ，５１ｈ，５１ｉ，５１ｐ，５１ｓ，５１ｔ，５１ｕ，５２ｇ，５８ｐ，６１ｂ，６１ｃ，６３ｂ，６３ｃ  第１の出射面、５１ｅ，５１ｆ，５１ｑ，５１ｒ，  ５８ｑ，５８ｒ，５８ｓ，５８ｔ，５８ｕ，５８ｖ    第２の出射面、５１ｊ  連結用切欠、５１ｍ  切欠面、５１ｖ，５１ｗ，５１ｘ，５１ｙ，  光の出射箇所、５２ｊ  連結用切欠、５２ｋ  切欠面、６１ｐ，６２ｐ，６３ｐ  パターン、１００ｚ  出射面、Ｌ１，Ｌ２，Ｌ３，Ｌ４，Ｌ１０１，Ｌ１０２，Ｌ１１１，Ｌ１１２，Ｌ１１３，Ｌ１２１，Ｌ１２２，Ｌ１３１，Ｌ１３２，Ｌ１４１，Ｌ１４２，Ｌ１４３，Ｌ１５１，Ｌ１５２，Ｌ１５３，Ｌ１５４，Ｌ１６１，Ｌ１６２，Ｌ１７１，Ｌ１７２，Ｌ１８１，Ｌ１８２，Ｌ１９１，Ｌ１９２，Ｌ１９３，Ｌ１９４，Ｌ２０１，Ｌ２０２，Ｌ２１１，Ｌ２１２，Ｌ２２１，Ｌ２２２，Ｌ２２３，Ｌ２２４，Ｌ２３１，Ｌ２３２，Ｌ２４１，Ｌ２４２，Ｌ２５１，Ｌ２５２，Ｌ２６１，Ｌ２６２，Ｌ２７１，Ｌ２７２，Ｌ７０１，Ｌ７０２，Ｌ７１１，Ｌ７１２，Ｌ７１３，Ｌ７２１，Ｌ７２２，Ｌ７２３，Ｌ７３１，Ｌ７３３，Ｌ７４１，Ｌ７４２，Ｌ７４３，Ｌ７５１，Ｌ７５２，Ｌ７６１，Ｌ７６２，Ｌ７６３，Ｌ７７１，Ｌ７７２，Ｌ７７３  光、θ１，θ３  入射角、θ２  出射角、θ４  反射角、ｎ１，ｎ２  屈折率、Ｐ１  擬似的な発光中心位置。
【図１】
0005291223.tif 000002
【図２】
0005291223.tif 000003
【図３】
0005291223.tif 000004
【図４】
0005291223.tif 000005
【図５】
0005291223.tif 000006
【図６】
0005291223.tif 000007
【図７】
0005291223.tif 000008
【図８】
0005291223.tif 000009
【図９】
0005291223.tif 000010
【図１０】
0005291223.tif 000011
【図１１】
0005291223.tif 000012